(57)【要約】【課題】畝立てと同時に上面均しが行え、且つ作業幅を設定可能な畝の上面均し器を提供する。【解決手段】上面均し器１は、畝立器の後部に取り付けられる本体取付板１０、左右に延びるようにして本体取付板１０に取り付けられる長板状の主均し板１１Ａ，１１Ｂ、及び必要に応じて主均し板１１Ａ，１１Ｂの少なくとも一方に連結される長板状の補助均し板１２Ａ，１２Ｂを備えている。これにより、畝立てと同時に整形作業を行うことができると共に、主均し板１１Ａ，１１Ｂに補助均し板１２Ａ，１２Ｂを連結するか否か、又は、主均し板１１Ａ，１１Ｂに対する補助均し板１２Ａ，１２Ｂの重ね合わせの長さの調節により、畝の整形幅（作業幅）を調整することができる。【選択図】図１
0003152765.tif 000002
【実用新案登録請求の範囲】
【請求項１】
畝立器の後部に着脱可能に取り付けられる本体取付板と、
前記畝立器の両側へ延びるようにして前記本体取付板に取り付けられる長板状の一対の主均し板と、
を備えた上面均し器。
【請求項２】
請求項１に記載の上面均し器において、
前記一対の主均し板の少なくとも一方に着脱可能に連結される長板状の補助均し板を備え、
前記補助均し板は、前記主均し板に対して長さ方向における取付位置を変更可能とされ、それによって畝の均し幅を変更可能としたことを特徴とする上面均し器。
【請求項３】
請求項１又は２に記載の上面均し器において、
前記一対の主均し板及び前記補助均し板は、少なくとも１つの補強用の曲げ加工が施されていることを特徴とする上面均し器。
【請求項４】
請求項１から３のいずれか１項に記載の上面均し器において、
前記一対の主均し板は、前記本体取付板に対する取り付け角度が変更変可能とされていることを特徴とする上面均し器。
【請求項５】
請求項４に記載の上面均し器において、
前記本体取付板は、前記一対の主均し板の前記取り付け角度を指示する角度目盛りを備えていることを特徴とする上面均し器。
【考案の詳細な説明】
【技術分野】
【０００１】
本考案は、畝立器に取り付けられ、畝立てされた畝の表面の均しを行う畝の上面均し器に関する。
【背景技術】
【０００２】
機械化による畑の畝立ては、歩行形管理機、乗用トラクタ等の移動農機にロータリ（耕耘刃）を装着し、更に後段に畝立器を取り付け、移動農機を走行させながらロータリにより土を堀り起こして揚土し、更に、耕耘した土を畝立器によってかまぼこ形に外盛りすることによって土の表面をなだらかな丸形に形成することにより行われている。また、上記丸畝を整形して平畝にしたい場合、移動農機からロータリ及び畝立器を取り外し、これに代えて整形したい形状に対応した整形板を移動農機に装着し、移動農機を走行させながら丸畝を平面状に整形して平畝にする。
【０００３】
上記したように、畝の形成と整形を個別に行う作業は、作業効率が悪い。そこで、２つの作業を同時に行えるように、畝上面を小刻みにタッピングして上面均しを行うタッピング部材を畝形成器に設けた畝の上面均し装置が提案されている（例えば、特許文献１参照）。また、スキ先刃に設けた成形板で外盛り・倍土を行い、上記成形板の後部に取り付けたＵ字状の畝形成板及び平板状の畝形成板で畝の整形を行う外盛り・倍土、畝整形作業器が提供されている（例えば、特許文献２参照）。
【先行技術文献】
【特許文献】
【０００４】
【特許文献１】特開２００８−１１８８７９号公報
【特許文献２】特開２００５−５２０９５号公報
【考案の概要】
【考案が解決しようとする課題】
【０００５】
しかし、上述した従来の上面均し装置及び外盛り・倍土、畝整形作業器は、畝立機に一体化され且つ長さが固定であるため、畝の幅、高さ等を細かく設定することはできなかった。また、作業対象は１つの畝であり、２つの畝を同時に整形することはできない。
【０００６】
従って、本考案の目的は、畝立てと同時に上面均しが行え、しかも２つの畝を同時に整形することが可能で、且つ、畝の均し幅や角度を変更可能な畝の上面均し器を提供することにある。
【課題を解決するための手段】
【０００７】
上記目的を達成するため、請求項１に記載の本考案は、畝立器の後部に着脱可能に取り付けられる本体取付板と、畝立器の両側へ延びるようにして前記本体取付板に取り付けられる長板状の一対の主均し板とを備えた上面均し器を提供する。
【０００８】
上記目的を達成するため、請求項２に記載の本考案は、請求項１に記載の上面均し器において、一対の主均し板の少なくとも一方に着脱可能に連結される長板状の補助均し板を備え、補助均し板は、主均し板に対して長さ方向における取付位置を変更可能とされ、それによって畝の均し幅を変更可能としたことを特徴とする。
【０００９】
上記目的を達成するため、請求項３に記載の本考案は、請求項１又は２に記載の上面均し器において、一対の主均し板及び補助均し板は、少なくとも１つの補強用の曲げ加工が施されていることを特徴とする。
【００１０】
上記目的を達成するため、請求項４に記載の本考案は、請求項１から３のいずれか１項に記載の上面均し器において、一対の主均し板は、本体取付板に対する取り付け角度が変更変可能とされていることを特徴とする。
【００１１】
上記目的を達成するため、請求項５に記載の本考案は、請求項４に記載の上面均し器において、本体取付板は、一対の主均し板の取り付け角度を指示する角度目盛りを備えていることを特徴とする。
【考案の効果】
【００１２】
本考案の畝の上面均し器によれば、畝立てと同時に上面均しが行え、しかも２つの畝を同時に整形することができ、且つ、畝の均し幅や角度も設定することができるという効果がある。
【図面の簡単な説明】
【００１３】
【図１】本考案の一実施例における畝の上面均し器を示す背面図である。
【図２】図１に示す畝の上面均し器の平面図である。
【図３】図１に示す畝の上面均し器の分解図である。
【図４】畝の上面均し器の畝立て機への取り付けを示す説明図である。
【図５】畝の上面均し器付きの畝立器を移動農機に取り付けて作業をしている状態を示す図である。
【図６】スイカの栽培方式に応じた主均し板及び補助均し板の長さ調整を示し、（ａ）は整枝栽培に対応させた図、（ｂ）は移動栽培に対応させた図、（ｃ）は放任栽培に対応させた図である。
【考案を実施するための形態】
【００１４】
畝立てと同時に上面均しが行え、且つ畝の均し幅や角度を設定可能にするという目的を、主均し板と補助均し板を主体にした簡単な構成及び最少の部品数により、これらを連結した長さを調節して畝立器から畝方向へ延びる長さを畝幅に合わせて設定できるようにし、最小の部品数及び簡単な構成により実現した。
【実施例】
【００１５】
（上面均し器の構成）
図１は、本考案の一実施例における畝の上面均し器を示す背面図、図２は、図１に示す畝の上面均し器の平面図、図３は、図１に示す上面均し器の分解図である。畝の上面均し器（以下、上面均し器という）１は、後述する畝立器に取り付けられる本体取付板１０と、一端がボルト６及びナット７によって本体取付板１０の両側に取り付けられる長板状の主均し板１１Ａ，１１Ｂと、主均し板１１Ａ，１１Ｂのそれぞれの他端にボルト８及びナット９によって取り付けられた長板状の補助均し板１２Ａ，１２Ｂと、本体取付板１０の下端の中央部に取り付けられると共に畝立器に係着される取付用金具１３とを備えている。本体取付板１０、主均し板１１Ａ，１１Ｂ及び補助均し板１２Ａ，１２Ｂは、共に鉄板等の金属を用いて作られており、表面には錆止め処理、塗装等が施されている。
【００１６】
なお、図３においては、主均し板１１Ｂ及び補助均し板１２Ｂは、主均し板１１Ａ及び補助均し板１２Ａと対象形であるだけで全体の構造は同じであるため、主均し板１１Ｂ及び補助均し板１２Ｂの図示及び説明を省略している。
【００１７】
本体取付板１０は、図１〜図３に示すように、後述する畝立器に取り付けられる取付部１００Ａ，１００Ｂが両端部に突出させて設けられていると共に、畝立器への取り付けに用いられる複数のねじ穴１０１及び補助均し板１２Ａ，１２Ｂの取り付けに用いられる複数のねじ穴１０２が設けられている。取付部１００Ａ，１００Ｂは、上面均し器１の全体を支える部分であるため、主均し板１１Ａ，１１Ｂ等に比べて厚みを大きくするか、補強材を設けて強度を持たせることが望ましい。
【００１８】
更に、本体取付板１０は、図３に示すように、中央部に補助均し板１２Ａ，１２Ｂの取り付け角度を把握できるように、角度目盛り１０３が設けられている。この角度目盛り１０３は、例えば、上下方向に５°毎に設けられた角度値１０３ａ及び目盛線１０３ｂを備えている。なお、取付板１０は、後述するように市販の畝立器に取り付けられる。したがって、本体取付板１０は各社の畝立器に幅広く対応できる構成であることが望ましい。
【００１９】
主均し板１１Ａは、曲げに対する強度を確保するため、上側が折れ線部１１０Ａを境にして「く」字状に曲げ加工され、また、下側は折れ線部１１０Ｂを境にして「く」字状に曲げ加工されている。更に、主均し板１１Ａの一端は、本体取付板１０に取り付けられる側の幅が狭くされ且つ傾斜が設けられた取付部１１１になっており、その端部（一端）には図３に示す長穴１１２が設けられている。この長穴１１２に対向させて目盛り線１０３ｂを指示する矢印１１４が取付部１１１の端辺に設けられている。この取付部１１１が傾斜を有していることにより、上面均し器１を畝立器に取り付けたとき、畝を整形した際の余剰な土が内側に移動するような角度が主均し板１１Ａに付与される。また、主均し板１１Ａの他端には、補助均し板１２Ａを取り付けるためのねじ穴１１３が設けられている。なお、主均し板１１Ａ，１１Ｂの長さは、上面均し器１が適用される畝の形状、畝に栽培する野菜や果実の種類等によって異なるが、考案者らの検討によれば、１，０５０〜１，５７０ｍｍが実用的であった。
【００２０】
更に、補助均し板１２Ａは、曲げに対する強度を確保するために、折れ線部１２０を境にして上側が「く」字状に曲げ加工され、主均し板１１Ａに取り付けられる側に複数のねじ穴１２１が設けられ、また、他端は上側になる側に傾斜が設けられ、その先端部には扇形のマルチガード１２２が設けられている。この補助均し板１２Ａの長さは、例えば７５０〜２，０９０ｍｍである。なお、マルチガード１２２は、本実施例においては補助均し板１２Ａに一体に設けているが、別部品にしてもよい。
【００２１】
（上面均し器の組み付け）
図４は、畝の上面均し器の畝立て機への取り付けを示す説明図、図５は、畝の上面均し器付きの畝立器を移動農機（乗用トラクタ）に取り付けて作業をしている状態を示す図である。なお、図４において、畝立器（又は溝切器）２は、図の上部側が進行方向である。畝立器２は市販品の汎用品であり、上面均し器１を取り付け可能な部位が存在しさえすれば、製造会社等は問わない。また、ここでは、畝立器２は乗用トラクタ用としているが、牽引車が歩行形管理機である場合には、当該機用の畝立器が取り付け対象となる。
【００２２】
図４に示す畝立器２は、全体が上方から見て略逆Ｖ字形を成した成形板２１、この成形板２１の下部に設けられた堀上げ刃２２、移動農機に取り付けられる取付アーム２３等を有している。成形板２１は、上部の両端が横方向（進行方向に対して９０°の方向）に張り出した一対のサイド部２１０を有し、このサイド部２１０が上面均し器１の取付面として利用される。
【００２３】
上面均し器１は、図４に示すように、その取付部１００Ａ，１００Ｂが、ボルト６及びナット７によって畝立器２のサイド部２１０に取り付けられる。また、畝立器２に対する取付部１００Ａ，１００Ｂの取り付け位置に応じて畝の溝の深さを変更することができる。上面均し器１が取り付けられた畝立器２は、図５に示すように乗用トラクタ３に取り付けられる。この乗用トラクタ３は、各一対の前輪（図示せず）と後輪を有し、作業者が乗車できる構造になっている。乗用トラクタ３の後部には、例えば１，７６０ｍｍの幅を有するロータ３１が取り付けられている。このロータ３１は、乗用トラクタ３の動力源であるエンジンの出力を駆動源とするギヤボックス３２によって回転する。ギヤボックス３２には、連結アーム３３を介して畝立器２が取り付けられている。
【００２４】
（畝立器の動作）
次に、畝立器２の動作について説明する。まず、作業者は、図４に示すように上面均し器１付きの畝立器２を組み上げた後、この畝立器２を図５に示すように、乗用トラクタ３に取り付ける。次に、作業者は、乗用トラクタ３に着席し、ロータ３１及び畝立器２を地面から引き上げる操作を行った後、畑の溝形成位置に乗用トラクタ３を移動させる。ついで作業者は、ロータ３１及び畝立器２を地面に着地させ、このまま乗用トラクタ３を溝形成予定位置に沿って走行させると、その走行過程でロータ３１によって溝堀対象の土壌が耕耘されると共に畝立器２によって揚土が行われる。これにより、溝４が形成され、畝立器２の両側には溝の深さに応じた高さの畝５が形成される。更に、畝立器２によって形成された畝５が、上面均し器１によって整形される。
【００２５】
（上面均し器の設定）
次に、上面均し器１の設定例について説明する。図６は、スイカの栽培方式に応じた主均し板及び補助均し板の長さ設定を示し、（ａ）は整枝栽培（つる引栽培）に対応させた図、（ｂ）は移動栽培に対応させた図、（ｃ）は放任栽培に対応させた図である。なお、同図中の数値の単位は、ミリメートルである。
【００２６】
整枝栽培においては、主均し板１１Ａ，１１Ｂのみが上面均し器１に取り付けられ、補助均し板１２Ａ，１２Ｂは用いない。この場合の上面均し器１は、図６の（ａ）に示すように、整形可能幅が２，１００ｍｍ（１，０５０ｍｍ×２）となり、中心から左右１，０５０ｍｍより外側がプラスチックフィルム、ビニール等によるマルチ（Ｍ）の施工領域になっている。このような整形幅の設定により、１株２果取りが可能であった。
【００２７】
移動栽培においては、主均し板１１Ｂに補助均し板１２Ｂを取り付け、主均し板１１Ａ側には補助均し板１２Ａを取り付けない。補助均し板１２Ｂは、主均し板１１Ａ側の長さの和が２，４５０ｍｍになるように取り付けられ、これにより、図６の（ｂ）に示すように、上面均し器１の全幅は３，５００ｍｍとなる。このような整形幅の設定により、１株３．７果取りが可能であった。
【００２８】
放任栽培においては、主均し板１１Ａ側及び主均し板１１Ｂ側が共に２，０００ｍｍとなるように、主均し板１１Ａ，１１Ｂに補助均し板１２Ａ，１２Ｂを取り付け、図６の（ｃ）に示すように、上面均し器１の全幅を４，０００ｍｍとしている。このような整形幅の設定により、１株５果取りが可能であった。
【００２９】
以上はスイカ栽培の例であるが、メロン、カボチャ等の栽培においても、同様の成果が期待できる。また、図６の（ｂ）においては、主均し板１１Ｂ側に補助均し板１２Ｂを設けたが、逆に、主均し板１１Ａ側に補助均し板１２Ａを設ける使用法も可能である。
【００３０】
（実施例の効果）
上記構成の上面均し器によれば、市販の畝立器２に取り付けて使用可能であるため、畝立てと同時に畝の上面均しを行うことができる結果、農作業の作業効率が高められると共に作業時間を短縮することができる。例えば、１００ｍの畝間の整地形成を３〜４分で終わらせることができるという効果がある。
【００３１】
また、上記構成の上面均し器によれば、主均し板１１Ａ，１１Ｂ及び補助均し板１２Ａ，１２Ｂによって畝整形の幅を適宜設定できるため、主均し板１１Ａ，１１Ｂに対し、最も長くなるように補助均し板１２Ａ，１２Ｂを連結した場合、２，１００ｍｍ以上の長さになるため、様々な畝間に対応させることが可能となる。尚、補助均し板１２Ａ，１２Ｂの取り付け位置を適宜に選択することによって均しの幅を左右別々に設定することもできる。更に、主均し板１１Ａ，１１Ｂ、補助均し板１２Ａ，１２Ｂは、一対で用いることにより、２つの畝を同時に形成することができる。
【００３２】
なお、主均し板１１Ａ，１１Ｂ及び補助均し板１２Ａ，１２Ｂは、最初から形成したい畝の形状に合わせた長さに特定しておいてもよい。また、上面均し器１を歩行形管理機で牽引する場合、必然的に形状が小型になるため、補助均し板１２Ａ，１２Ｂは、例えばプラスチック製等にすることが可能である。
【符号の説明】
【００３３】
１        上面均し器
２        畝立器
３        乗用トラクタ
４        溝
５        畝
６        ボルト
７        ナット
８        ボルト
９        ナット
１０      本体取付板
１１Ａ    主均し板
１１Ｂ    主均し板
１２Ａ    補助均し板
１２Ｂ    補助均し板
１３      取付用金具
２１      成形板
２２      堀上げ刃
２３      取付アーム
３１      ロータ
３２      ギヤボックス
３３      連結アーム
１００Ａ  取付部
１００Ｂ  取付部
１０１    ねじ穴
１０２    ねじ穴
１０３ａ  角度値
１０３ｂ  目盛線
１１０Ａ  折れ線部
１１０Ｂ  折れ線部
１１１    取付部
１１２    長穴
１１３    ねじ穴
１２０    折れ線部
１２１    ねじ穴
１２２    マルチガード
２１０    サイド部
【図１】
0003152765.tif 000003
【図２】
0003152765.tif 000004
【図３】
0003152765.tif 000005
【図４】
0003152765.tif 000006
【図５】
0003152765.tif 000007
【図６】
0003152765.tif 000008